(57)【要約】【課題】床面から引き出された電源コードに接続されているコンセントユニットを簡単かつ確実に床面に固定することができるコンセント固定方法を提供する。【解決手段】底板３１と後板３２と天板３３とがＵ字状に連続して少なくとも前面が開口した形状で、底板３１に貫通孔３４が形成されているとともに天板３３にネジ穴３５が形成されているコンセント固定治具３０を用意する。このコンセント固定治具３０の内側の空隙Ｓにコンセントユニットを電源コンセントが前側に位置するとともに電源コードが左側か右側に位置する状態で挿入する。コンセント固定治具３０の天板３３のネジ穴３５に上方からボルトを螺合させてコンセントユニットの上面に圧接させる。コンセント固定治具３０の底板３１の貫通孔３４に上方からボルトを挿入して床面に締結させる。【選択図】図１
2007330064.tif 000002
【特許請求の範囲】
【請求項１】
床面から引き出された電源コードに接続されていて電源コンセントが一面に形成されている直方体状のコンセントユニットを前記床面に固定するためのコンセント固定方法であって、
底板と後板と天板とがＵ字状に連続して少なくとも前面が開口した形状で前記底板に貫通孔が形成されているとともに前記天板にネジ穴が形成されているコンセント固定治具を用意し、
このコンセント固定治具の内側の空隙に前記コンセントユニットを前記電源コンセントが前側に位置するとともに前記電源コードが左側か右側に位置する状態で挿入し、
前記コンセント固定治具の前記天板のネジ穴に上方からネジ部材を螺合させて前記コンセントユニットの上面に圧接させ、
前記コンセント固定治具の底板の貫通孔に上方からネジ部材を挿入して前記床面に締結させるコンセント固定方法。
【請求項２】
床面から引き出された電源コードに接続されていて電源コンセントが一面に形成されている直方体状のコンセントユニットを前記床面に固定するためのコンセント固定方法であって、
底板と後板と天板とがＵ字状に連続して少なくとも前面が開口した形状で前記底板に貫通孔が形成されているとともに前記天板にネジ穴が形成されているコンセント固定治具を用意し、
このコンセント固定治具の底板の貫通孔に上方からネジ部材を挿入して前記床面に締結させ、
前記コンセント固定治具の内側の空隙に前記コンセントユニットを前記電源コンセントが前側に位置するとともに前記電源コードが左側か右側に位置する状態で挿入し、
前記コンセント固定治具の前記天板のネジ穴に上方からネジ部材を螺合させて前記コンセントユニットの上面に圧接させるコンセント固定方法。
【請求項３】
床面から引き出された電源コードに接続されていて電源コンセントが一面に形成されている直方体状のコンセントユニットを前記床面に固定するためのコンセント固定治具であって、
底板と後板と天板とがＵ字状に連続して少なくとも前面が開口した形状に形成されており、
前記天板にネジ穴が形成されており、
前記電源コンセントが前側に位置するとともに前記電源コードが左側か右側に位置する状態の前記コンセントユニットの後面よりも前記後板が上下方向に長く形成されており、
前記電源コンセントが前面に位置するとともに前記電源コードが左側か右側に位置する状態の前記コンセントユニットの底面よりも前記底板が前後方向に長く形成されており、
内側の空隙に挿入された前記コンセントユニットの前面より前方の位置で前記底板に貫通孔が形成されているコンセント固定治具。
【請求項４】
前記電源コンセントが前側に位置するとともに前記電源コードが左側か右側に位置する状態の前記コンセントユニットの上面よりも前記天板が前後方向に短く形成されている請求項３に記載のコンセント固定治具。
【請求項５】
前記電源コンセントが前側に位置するとともに前記電源コードが左側か右側に位置する状態の前記コンセントユニットの上面よりも前記天板が左右方向に短く形成されている請求項３または４に記載のコンセント固定治具。
【請求項６】
左面と右面とが開口している請求項３ないし５の何れか一項に記載のコンセント固定治具。
【請求項７】
前記底板と前記後板と前記天板とが曲折された一枚の平板で形成されている請求項６に記載のコンセント固定治具。
【請求項８】
前記天板のネジ穴にネジ部材が上方から螺合されている請求項３ないし７の何れか一項に記載のコンセント固定治具。
【請求項９】
電源コンセントが一面に形成されている直方体状のコンセントユニットが床面から引き出された電源コードに接続されているコンセントシステムであって、
前記電源コンセントが前側に位置するとともに前記電源コードが左側か右側に位置する状態の前記コンセントユニットが請求項３ないし８の何れか一項に記載のコンセント固定治具の内側の空隙に前方から挿入されており、
前記コンセント固定治具の前記天板のネジ穴に上方から螺合されているネジ部材が前記コンセントユニットの上面に圧接されているコンセントシステム。
【発明の詳細な説明】
【技術分野】
【０００１】
本発明は、コンセントユニットを床面に固定するためのコンセント固定方法および治具に関し、特に、床面から引き出された電源コードに接続されていて電源コンセントが一面に形成されている直方体状のコンセントユニットを固定するためのコンセント固定方法および治具に関する。
【背景技術】
【０００２】
従来、工場や事務所などで電源コンセントがコンセントシステムとして床面に設置されていることがある。例えば、図４に示すように、このようなコンセントシステム１０は、床面Ｆの開口孔Ｈから電源コード１１が引き出されている。この電源コード１１に直方体状のコンセントユニット１２が接続されている。このコンセントユニット１２の一面に、電源コンセント１３が一個ないし複数形成されている。
【０００３】
このようなコンセントシステム１０では、図５に示すように、コンセントユニット１２の電源コンセント１３に電気機器(図示せず)の電源コードＣのプラグＰを接続することにより、その電気機器に電力を供給することができる。
【０００４】
しかし、上述のようなコンセントシステム１０では、コンセントユニット１２の位置が不定である。このため、電源コード１１が床面Ｆの開口孔Ｈの位置で繰り返し曲折されて断線が発生することがある。
【０００５】
また、コンセントユニット１２は、複数の電源コンセント１３が位置する面の長さＬや幅Ｗに比較して、これらと直交する方向の高さＨが小さい。このため、床面Ｆに移動自在に配置されたコンセントユニット１２は、電源コンセント１３が上方に位置する状態で安定する。しかし、これでは電源コンセント１３の内部に塵芥が侵入しやすいため、例えば、塵芥の滞積により火災が発生することもある。
【０００６】
上述のような課題を解決するため、電源コンセント１３が前方などに位置する状態でコンセントユニット１２を床面Ｆに固定することもある。このような場合、例えば、図６ないし図８に示すように、コンセント固定治具２０でコンセントユニット１２を床面Ｆに固定する。
【０００７】
このコンセント固定治具２０は、底板２１と後板２２とがＬ字型に連続した形状に形成されている。後板２２には開口孔２３が形成されており、この開口孔２３に挿通されたネジ部材であるボルト２４がコンセントユニット１２に締結される。
【０００８】
底板２１にも開口孔２６が形成されており、この開口孔２６に挿通されたボルト２７が床面Ｆに締結される。さらに、この開口孔２６とは別個の貫通孔２８も底板２１には形成されており、この貫通孔２８に電源コード１１が挿通される。
【０００９】
上述のようなコンセント固定治具２０を使用すると、床面Ｆに対してコンセントユニット１２が固定される。このため、電源コード１１が床面Ｆの開口孔Ｈの位置で繰り返し曲折されることによる断線が防止される。
【００１０】
さらに、コンセントユニット１２は電源コンセント１３が前面に位置する状態となるため、電源コンセント１３の内部に塵芥が侵入することも防止される。また、電源コンセント１３に電気機器の電源コードＣのプラグＰを接続することも容易となる。
【００１１】
現在、上述のようなコンセント固定方法として各種の提案がある（例えば、特許文献１、２参照）。
【特許文献１】特開平０６−１６５３４６
【特許文献２】特開２００１−１６９４４０
【発明の開示】
【発明が解決しようとする課題】
【００１２】
しかし、上述したコンセント固定治具２０によるコンセント固定方法では、ボルト２４をコンセントユニット１２に締結している。このため、コンセントユニット１２にネジ穴(図示せず)を形成する、図８に示すように、コンセントユニット１２に開口孔を形成してナットを配置する、などが必要となる。
【００１３】
しかし、コンセントユニット１２にネジ穴を形成することも、開口孔を形成してナットを配置することも、容易ではない。特に、事前にコンセントシステム１０が床面Ｆに設置されている場合、コンセントユニット１２を安全に加工するためには電源を一度遮断する必要がある。また、コンセントユニット１２を加工できても、例えば、その内部まで侵入するボルト２４が電源コード１１の電線に短絡する可能性もある。
【課題を解決するための手段】
【００１４】
本発明の第一のコンセント固定方法は、床面から引き出された電源コードに接続されていて電源コンセントが一面に形成されている直方体状のコンセントユニットを床面に固定するためのコンセント固定方法であって、底板と後板と天板とがＵ字状に連続して少なくとも前面が開口した形状で底板に貫通孔が形成されているとともに天板にネジ穴が形成されているコンセント固定治具を用意し、このコンセント固定治具の内側の空隙にコンセントユニットを電源コンセントが前側に位置するとともに電源コードが左側か右側に位置する状態で挿入し、コンセント固定治具の天板のネジ穴に上方からネジ部材を螺合させてコンセントユニットの上面に圧接させ、コンセント固定治具の底板の貫通孔に上方からネジ部材を挿入して床面に締結させる。
【００１５】
本発明の第二のコンセント固定方法は、床面から引き出された電源コードに接続されていて電源コンセントが一面に形成されている直方体状のコンセントユニットを床面に固定するためのコンセント固定方法であって、底板と後板と天板とがＵ字状に連続して少なくとも前面が開口した形状で底板に貫通孔が形成されているとともに天板にネジ穴が形成されているコンセント固定治具を用意し、このコンセント固定治具の底板の貫通孔に上方からネジ部材を挿入して床面に締結させ、コンセント固定治具の内側の空隙にコンセントユニットを電源コンセントが前側に位置するとともに電源コードが左側か右側に位置する状態で挿入し、コンセント固定治具の天板のネジ穴に上方からネジ部材を螺合させてコンセントユニットの上面に圧接させる。
【００１６】
従って、本発明のコンセント固定方法では、床面に対してコンセントユニットが固定されるので、電源コードが床面から引き出されている位置で繰り返し曲折されることがなく、コンセントユニットの電源コンセントが前面に位置する状態となるため、電源コンセントの内部に塵芥が侵入することもなく、コンセント固定治具の空隙に挿入されたコンセントユニットが、コンセント固定治具の天板に螺合されたネジ部材により底板に圧接されるので、コンセント固定治具に装着するためにコンセントユニットを加工する必要がない。
【００１７】
本発明のコンセント固定治具は、床面から引き出された電源コードに接続されていて電源コンセントが一面に形成されている直方体状のコンセントユニットを床面に固定するためのコンセント固定治具であって、底板と後板と天板とがＵ字状に連続して少なくとも前面が開口した形状に形成されており、天板にネジ穴が形成されており、電源コンセントが前側に位置するとともに電源コードが左側か右側に位置する状態のコンセントユニットの後面よりも後板が上下方向に長く形成されており、電源コンセントが前面に位置するとともに電源コードが左側か右側に位置する状態のコンセントユニットの底面よりも底板が前後方向に長く形成されており、内側の空隙に挿入されたコンセントユニットの前面より前方の位置で底板に貫通孔が形成されている。
【００１８】
従って、本発明のコンセント固定治具では、コンセントユニットの後面よりも後板が上下方向に長いので、底板と天板との間隙からなる空隙にコンセントユニットを容易に挿入することができ、天板にネジ穴が形成されているので、そのネジ穴に螺合させたネジ部材を空隙に挿入されているコンセントユニットの上面に圧接させることができ、内側の空隙に挿入されたコンセントユニットの前面より前方の位置で底板に貫通孔が形成されているので、内側の空隙にコンセントユニットが挿入された状態で底板の貫通孔にネジ部材を容易に挿通させることができる。
【００１９】
本発明のコンセントシステムは、電源コンセントが一面に形成されている直方体状のコンセントユニットが床面から引き出された電源コードに接続されているコンセントシステムであって、電源コンセントが前側に位置するとともに電源コードが左側か右側に位置する状態のコンセントユニットが本発明のコンセント固定治具の内側の空隙に前方から挿入されており、コンセント固定治具の天板のネジ穴に上方から螺合されているネジ部材がコンセントユニットの上面に圧接されている。
【００２０】
従って、本発明のコンセントシステムでは、コンセントユニットがコンセント固定治具に挿入されて保持されているので、このコンセント固定治具の底板の貫通孔にネジ部材を挿通させて床面に締結することにより、コンセントユニットが床面に固定される。
【００２１】
なお、本発明の各種の構成要素は、必ずしも個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等でもよい。
【００２２】
また、本発明では上下方向とともに前後左右の方向も規定しているが、この前後左右の方向は本発明の構成要素の相対関係を簡単に説明するために便宜的に規定したものであり、本発明を実施する場合の製造時や使用時の方向を限定するものではない。
【００２３】
さらに、本発明で云うＵ字状とは、例えば、平行な一対の線形の部分と、これらの部分の一端を連結する部分と、が連続している形状を意味しており、その一対の部分を連結している部分は湾曲していても線形でもよい。
【発明の効果】
【００２４】
本発明のコンセント固定方法では、床面に対してコンセントユニットが固定されることにより、電源コードが床面から引き出されている位置で繰り返し曲折されることによる断線を防止することができ、コンセントユニットの電源コンセントが前面に位置する状態となるため、電源コンセントの内部に塵芥が侵入することによる火災なども防止することができ、コンセント固定治具の空隙に挿入されたコンセントユニットが、コンセント固定治具の天板に螺合されたネジ部材により底板に圧接されることにより、コンセント固定治具に装着するためにコンセントユニットを加工する必要がないので、コンセントユニットを簡単かつ確実に床面に固定することができる。
【００２５】
本発明のコンセント固定治具では、コンセントユニットの後面よりも後板が上下方向に長いので、底板と天板との間隙からなる空隙にコンセントユニットを容易に挿入することができ、天板にネジ穴が形成されているので、そのネジ穴に螺合させたネジ部材を空隙に挿入されているコンセントユニットの上面に圧接させることができ、内側の空隙に挿入されたコンセントユニットの前面より前方の位置で底板に貫通孔が形成されているので、内側の空隙にコンセントユニットが挿入された状態で底板の貫通孔にネジ部材を容易に挿通させることができ、コンセントユニットを加工することなく簡単かつ確実に床面に固定することができる。
【００２６】
本発明のコンセントシステムでは、コンセントユニットがコンセント固定治具に挿入されて保持されているので、このコンセント固定治具の底板の貫通孔にネジ部材を挿通させて床面に締結することにより、加工していないコンセントユニットを簡単かつ確実に床面に固定することができる。
【発明を実施するための最良の形態】
【００２７】
本発明の実施の一形態を図１ないし図３を参照して以下に説明する。ただし、本実施の形態に関して前述した一従来例と同一の部分は、同一の名称および符号を使用して詳細な説明は省略する。
【００２８】
本実施の形態のコンセント固定方法は、床面Ｆの開口孔Ｈから引き出された電源コード１１に接続されていて電源コンセント１３が一面に形成されている直方体状のコンセントユニット１２を床面Ｆに固定するためのコンセント固定方法であって、底板３１と後板３２と天板３３とがＵ字状に連続して少なくとも前面が開口した形状で底板３１に貫通孔３４が形成されているとともに天板３３にネジ穴３５が形成されているコンセント固定治具３０を用意し、このコンセント固定治具３０の内側の空隙Ｓにコンセントユニット１２を電源コンセント１３が前側に位置するとともに電源コード１１が左側か右側に位置する状態で挿入し、コンセント固定治具３０の天板３３のネジ穴３５に上方からネジ部材であるボルト３６を螺合させてコンセントユニット１２の上面に圧接させ、コンセント固定治具３０の底板３１の貫通孔３４に上方からネジ部材であるボルト３７を挿入して床面Ｆに締結させる。
【００２９】
より詳細には、コンセント固定治具３０は、一枚の平板であるＳＵＳなどの金属板を曲折させることにより、底板３１と後板３２と天板３３とがＵ字状に連続し、前面と左面と右面とが開口した形状に形成されている。
【００３０】
コンセント固定治具３０は、電源コンセント１３が前側に位置するとともに電源コード１１が左側か右側に位置する状態のコンセントユニット１２の上面の左右方向の長さＬよりも、左右方向の長さＡが短く形成されている。
【００３１】
後板３２は、上述の状態のコンセントユニット１２の後面の上下方向の長さＷよりも、上下方向の長さＢが長く形成されている。天板３３は、上述の状態のコンセントユニット１２の上面の前後方向の長さＨよりも、前後方向の長さＣが短く形成されている。
【００３２】
ただし、天板３３の前後方向の長さＣは、ネジ穴３５の形成に充分な長さに形成されている。なお、このネジ穴３５は、例えば、空隙Ｓに挿入されたコンセントユニット１２の上面の前後方向での中心に位置するように、天板３３に形成されている。
【００３３】
底板３１は、上述の状態のコンセントユニット１２の下面の前後方向の長さＨよりも、前後方向の長さＤが長く形成されている。そして、貫通孔３４は、空隙Ｓに挿入されたコンセントユニット１２の前面より前方の位置で底板３１に形成されている。
【００３４】
本実施の形態のコンセント固定方法としては、まず、図１に示すように、上述した構造のコンセント固定治具３０を用意する。つぎに、このコンセント固定治具３０の内側の空隙Ｓにコンセントユニット１２を電源コンセント１３が前側に位置するとともに電源コード１１が左側か右側に位置する状態で前方から挿入する。
【００３５】
そして、コンセント固定治具３０の天板３３のネジ穴３５に上方からボルト３６を螺合させてコンセントユニット１２の上面に圧接させる。これでコンセントユニット１２にコンセント固定治具３０が一体に固定される。
【００３６】
そこで、図２に示すように、このコンセント固定治具３０の底板３１の貫通孔３４に上方からボルト３７を挿入して床面Ｆに締結させる。これでコンセントユニット１２がコンセント固定治具３０により床面Ｆに固定される。
【００３７】
本実施の形態のコンセント固定方法では、床面Ｆに対してコンセントユニット１２が固定されることにより、電源コード１１が床面Ｆから引き出されている位置で繰り返し曲折されることによる断線を防止することができる。
【００３８】
しかも、コンセントユニット１２の電源コンセント１３が前面に位置する状態となるため、電源コンセント１３の内部に塵芥が侵入することによる火災なども防止することができる。
【００３９】
さらに、コンセント固定治具３０の空隙Ｓに挿入されたコンセントユニット１２が、コンセント固定治具３０の天板３３に螺合されたボルト３６により底板３１に圧接される。
【００４０】
このため、コンセント固定治具３０に装着するためにコンセントユニット１２を加工する必要がないので、コンセントユニット１２を簡単かつ確実に床面Ｆに固定することができる。
【００４１】
しかも、本実施の形態のコンセント固定治具３０は、コンセントユニット１２の後面よりも後板３２が上下方向に長いので、底板３１と天板３３との間隙からなる空隙Ｓにコンセントユニット１２を容易に挿入することができる。
【００４２】
さらに、天板３３にネジ穴３５が形成されているので、そのネジ穴３５に螺合させたボルト３６を空隙Ｓに挿入されているコンセントユニット１２の上面に圧接させることができる。
【００４３】
しかも、内側の空隙Ｓに挿入されたコンセントユニット１２の前面より前方の位置で底板３１に貫通孔３４が形成されているので、内側の空隙Ｓにコンセントユニット１２が挿入された状態で底板３１の貫通孔３４にボルト３７を容易に挿通させることができる。
【００４４】
なお、本発明は本実施の形態に限定されるものではなく、その要旨を逸脱しない範囲で各種の変形を許容する。例えば、上記形態ではコンセント固定治具３０にコンセントユニット１２を挿入してボルト３６で固定してから、そのコンセント固定治具３０をボルト３７で床面Ｆに固定することを例示した。しかし、コンセント固定治具３０をボルト３７で床面Ｆに固定してから、そのコンセント固定治具３０にコンセントユニット１２を挿入してボルト３６で固定してもよい。
【００４５】
また、上記形態ではコンセント固定治具３０に最初はボルト３７が螺合されていないことを例示した。しかし、コンセントユニット１２の挿入に支障がない状態で、ボルト３７をコンセント固定治具３０に最初から螺合させておいてもよい。
【００４６】
さらに、上記形態ではコンセントシステム１０とコンセント固定治具３０とが最初は別個であることを例示した。しかし、コンセント固定治具３０がコンセントユニット１２に最初から装着されている構造として、コンセントシステム１０を設置してもよい。
【図面の簡単な説明】
【００４７】
【図１】本発明の実施の形態のコンセント固定治具を示す模式的な斜視図である。
【図２】コンセント固定治具でコンセントユニットを床面に固定した状態を示す模式的な斜視図である。
【図３】コンセント固定治具で床面に固定されたコンセントユニットに電気機器の電源プラグが装着された状態を示す模式的な斜視図である。
【図４】第一の従来例のコンセントシステムを示す斜視図である。
【図５】コンセントシステムのコンセントユニットに電気機器の電源プラグが装着された状態を示す模式的な斜視図である。
【図６】第二の従来例のコンセント固定治具でコンセントユニットが床面に固定された状態を示す模式的な斜視図である。
【図７】コンセント固定治具でコンセントユニットが床面に固定された状態を示す背面図である。
【図８】コンセント固定治具でコンセントユニットが床面に固定された状態を示す縦断側面図である。
【符号の説明】
【００４８】
１０    コンセントシステム
１１    電源コード
１２    コンセントユニット
１３    電源コンセント
２０    コンセント固定治具
２１    底板
２２    後板
２３    開口孔
２４    ボルト
２６    開口孔
２７    ボルト
２８    貫通孔
３０    コンセント固定治具
３１    底板
３２    後板
３３    天板
３４    貫通孔
３５    ネジ穴
３６    ボルト
３７    ボルト
Ｃ    電源コード
Ｆ    床面
Ｈ    開口孔
Ｐ    プラグ
Ｓ    空隙
Ｗ    幅
【図１】
2007330064.tif 000003
【図２】
2007330064.tif 000004
【図３】
2007330064.tif 000005
【図４】
2007330064.tif 000006
【図５】
2007330064.tif 000007
【図６】
2007330064.tif 000008
【図７】
2007330064.tif 000009
【図８】
2007330064.tif 000010